(57)【要約】      （修正有）【課題】反射板に対する蛍光灯の着脱を容易にし、且つ、反射板上での蛍光灯の位置を変更可能とする蛍光灯ホルダを提供する。【解決手段】螢光灯を着脱可能に弾性保持するホルダ部と、上記ホルダ部に連続して設けられ反射板１９の縁部をクリップするクリップ部と、を具備し、蛍光灯ホルダ１からの蛍光灯２３の取外しが容易であるとともに、蛍光灯ホルダの反射板への取付けが容易であり、又、取付後の位置の変更も可能となる様に構成する。【選択図】図５
0003153610.tif 000002
【実用新案登録請求の範囲】
【請求項１】
螢光灯を着脱可能に弾性保持するホルダ部と、上記ホルダ部に連続して設けられ反射板の縁部をクリップするクリップ部と、を具備したことを特徴とする蛍光灯ホルダ。
【請求項２】
請求項１記載の蛍光灯ホルダにおいて、
上記ホルダ部はリングの一部を切り欠いて開口部を形成した形状をなしていて、上記開口部を形成する両端は反開口部側に屈曲・形成されていることを特徴とする蛍光灯ホルダ。
【請求項３】
請求項１又は請求項２記載の蛍光灯ホルダにおいて、
上記クリップ部の自由端側先端部が上記クリップ部の開放部の外側に向けて屈曲・形成されていることを特徴とする蛍光灯ホルダ。
【請求項４】
請求項１〜請求項３の何れかに記載の蛍光灯ホルダにおいて、
上記クリップ部は上記ホルダ部の一端に連設された帯状部がホルダ部の他端側に向けて反転・屈曲されていて、ホルダ部の他端位置を境にして自由端側先端部が上記クリップ部の開放部の外側に向けて屈曲・形成されていることを特徴とする蛍光灯ホルダ。
【請求項５】
請求項１〜請求項４の何れかに記載の蛍光灯ホルダにおいて、
厚みが０．３５〜０．４５ｍｍのステンレス製の板材から構成されていることを特徴とする蛍光灯ホルダ。
【請求項６】
請求項１〜請求項５の何れかに記載の蛍光灯ホルダにおいて、
重量が略１．５〜２．５ｇに設定されていることを特徴とする蛍光灯ホルダ。
【考案の詳細な説明】
【技術分野】
【０００１】
本考案は、蛍光灯を反射板に取付ける蛍光灯ホルダに係り、特に、簡単に取付けることができ、且つ、反射板上での蛍光灯の位置を自在に変えることができるように工夫したものに関する。
【０００２】
従来の蛍光灯ホルダとしては、例えば、特許文献１に開示されているようなものが知られている。
【先行技術文献】
【特許文献】
【０００３】
【特許文献１】特開２００４−２８８５９８号公報
【考案の概要】
【考案が解決しようとする課題】
【０００４】
上記従来の構成によると次のような問題があった。
まず、特許文献１に記載されている蛍光灯ホルダの場合には、蛍光灯ホルダ側の係止爪と反射板側の嵌合孔との係合により比較的強固に固定される構成になっているので、着脱が面可動であるという問題があった。
又、蛍光灯ホルダは、反射板に設けられた嵌合穴に挿入されることで固定されるため、反射板上での蛍光灯の位置を変更し光の反射方向を変更することは不可能であった。  
【０００５】
本願考案は、このような点に基づいて成されたもので、反射板に対する蛍光灯の着脱を容易にし、且つ、反射板上での蛍光灯の位置を変更可能とする蛍光灯ホルダを提供することにある。
【課題を解決するための手段】
【０００６】
上記課題を解決するべく本願の請求項１記載の考案による蛍光灯ホルダは、螢光灯を着脱可能に弾性保持するホルダ部と、上記ホルダ部に連続して設けられ反射板の縁部をクリップするクリップ部と、を具備したことを特徴とするものである。
又、請求項２記載の考案による蛍光灯ホルダは、請求項１記載の蛍光灯ホルダにおいて、上記ホルダ部はリングの一部を切り欠いて開口部を形成した形状をなしていて、上記開口部を形成する両端は反開口部側に屈曲・形成されていることを特徴とするものである。
又、請求項３記載の考案による蛍光灯ホルダは、請求項１又は請求項２記載の蛍光灯ホルダにおいて、上記クリップ部の自由端側先端部が上記クリップ部の開放部の外側に向けて屈曲・形成されていることを特徴とするものである。
又、請求項４による蛍光灯ホルダは、請求項１〜請求項３の何れかに記載の蛍光灯ホルダにおいて、上記クリップ部は上記ホルダ部の一端に連設された帯状部がホルダ部の他端側に向けて反転・屈曲されていて、ホルダ部の他端位置を境にして自由端側先端部が上記クリップ部の開放部の外側に向けて屈曲・形成されていることを特徴とするものである。
又、請求項５記載の考案による蛍光灯ホルダは、請求項１〜請求項４の何れかに記載の蛍光灯ホルダにおいて、厚みが０．３５〜０．４ｍｍのステンレス製の板材から構成されていることを特徴とするものである。
又、請求項６記載の考案による蛍光灯ホルダは、請求項１〜請求項５の何れかに記載の蛍光灯ホルダにおいて、重量が略１．５〜２．５ｇに設定されていることを特徴とするものである。
【考案の効果】
【０００７】
以上述べたように、請求項１に係る蛍光灯ホルダは、蛍光灯を着脱可能に弾性保持するものである。そのため、上記蛍光灯ホルダからの蛍光灯の取外しが容易である。その上、請求項１に係る蛍光灯ホルダは、クリップ部を反射板の縁部にクリップすることで反射板に取付けられるものである。そのため、上記蛍光灯ホルダの反射板への取付けが容易であり、また、取付後の位置の変更も可能である。
又、請求項２に係る蛍光灯ホルダは、ホルダ部がリングの一部を切欠いて開口部を形成した形状をなしており、開口部を形成する両端は反開口部側に屈曲・形成されているものである。そのため、上記蛍光灯ホルダのホルダ部に蛍光灯を容易に取り付けることができる。
又、請求項３記載の蛍光灯ホルダは、クリップ部の自由端側先端部が上記クリップの開放部の外側に向けて屈曲・形成されているものである。そのため、上記蛍光灯ホルダの反射板への取り付けが容易となる。
又、請求項４による蛍光灯ホルダは、請求項１〜請求項３の何れかに記載の蛍光灯ホルダにおいて、上記クリップ部は上記ホルダ部の一端に連設された帯状部がホルダ部の他端側に向けて反転・屈曲されていて、ホルダ部の他端位置を境にして自由端側先端部が上記クリップ部の開放部の外側に向けて屈曲・形成されているので、クリップ部はホルダ部の幅と同じ範囲で反射板を挟むことになるので、クリップ力を高めて確実な保持を可能にするものである。
又、請求項５記載の考案による蛍光灯ホルダは、請求項１〜請求項４の何れかに記載の蛍光灯ホルダにおいて、厚みが０．３５〜０．４ｍｍのステンレス製の板材から構成されているので、十分なバネ特性を提供することができる。
又、請求項６記載の考案による蛍光灯ホルダは、請求項１〜請求項５の何れかに記載の蛍光灯ホルダにおいて、重量が略１．５〜２．５ｇに設定されているので、軽量であって取扱性も良い。
【図面の簡単な説明】
【０００８】
【図１】本願考案の一実施の形態を示す図で、蛍光灯ホルダの構成を示す斜視図である。
【図２】本願考案の一実施の形態を示す図で、蛍光灯ホルダの構成を示す正面図である。
【図３】本願考案の一実施の形態を示す図で、蛍光灯ホルダの構成を示す側面図である。
【図４】本願考案の一実施の形態を示す図で、蛍光灯ホルダを反射板にける前の状態を示す斜視図である。
【図５】本願考案の一実施の形態を示す図で、蛍光灯ホルダを反射板に取付けた状態を示す斜視図である。
【図６】本願考案の一実施の形態を示す図で、蛍光灯ホルダを反射板に取り付けた状態の拡大側断面図である。
【考案を実施するための形態】
【０００９】
以下、図１〜図６を参照して本考案の一実施の形態を説明する。
【００１０】
まず、図１から図３に示すように、蛍光灯ホルダ１がある。上記蛍光灯ホルダ１は、例えば、厚さ０．４ｍｍのステンレス板を、湾曲・形成させたものである。
尚、厚さの０．４ｍｍはあくまで一例である。例えば、０．３５〜０．４５ｍｍの範囲で任意に設定することが考えられる。
【００１１】
上記蛍光灯ホルダ１には後述する蛍光灯を保持するためのホルダ部３が設けられている。上記ホルダ部３はリングの一部を切り欠いたような形状をなしていて、その切り欠かれた部分が開口部５となっている。上記開口部５を形成する両先端部７、７は、上記開口部５の外側に向けて屈曲・形成されている。
【００１２】
又、図１〜図３に示すように、上記ホルダ部３の底部（図１中上側）９は上記ホルダ部３の外周側に押し出されていて、平板状のクリップ基部１１が形成されている。又、上記クリップ基部１１の一端が延長、湾曲されて、クリップ片１２が形成されている。上記クリップ基部１１と上記クリップ片１２から、クリップ部１３が構成されている。上記クリップ片１２の先端部１５は、上記クリップ部１３の開放部１７の外側に向けて屈曲・形成されている。又、クリップ片１２と先端部１５の境界１２ａはホルダ部３の幅の端に位置している。つまり、ホルダ部３の幅と同じ範囲内で反射板１９をクリップすることになるのでより強固な保持を可能にするものである。
【００１３】
又、本実施の形態における蛍光灯ホルダ１はその重量が大よそ２ｇ程度に設定されていてその軽量化が図られている。
尚、２ｇはあくまで一例であり、例えば、１．５ｇ〜２．５ｇの範囲で任意に設定することが考えられる。
【００１４】
次に、上記蛍光灯ホルダ１を反射板１９に取り付ける際の説明を行う。図４及び図５に示すように、上記反射板１９と２つの上記蛍光灯ホルダ１、１がある。上記蛍光灯ホルダ１は、上記反射板１９の長軸方向両端の中央部に一つずつ取り付けられる。上記蛍光灯ホルダ１は、図５及び図６に示すように、上記クリップ部１３で上記反射板１９の縁部２１を挟み込むことによって、上記反射板１９に取り付けられる。すなわち、上記クリップ部１３の開放部１７から上記反射板１９の縁部２１を挿入すると、上記クリップ部１３のクリップ片１２が弾性変形し、その弾性力によって上記反射板が保持されることとなる。
【００１５】
次に、上記蛍光灯ホルダ１を介して、蛍光灯２３を上記反射板１９に取り付ける際の説明を行う。まず、図５に示すように、上記反射板１９に上記蛍光灯ホルダ１が取り付けられている。そして、この上記蛍光灯ホルダ１のホルダ部３の開口部５から、上記ホルダ部３の内部へ上記蛍光灯２３を挿入する。その際、上記ホルダ部３は弾性変形し、その弾性力により上記蛍光灯２３が保持される。このようにして、上記蛍光灯２３は、図５の仮想線で示すように、上記蛍光灯ホルダ１、１を介して上記反射板１９に取り付けられる。又、上記蛍光灯２３は上記ホルダ部３によって着脱可能に弾性保持されることになる。
【００１６】
又、上記蛍光灯２３の両端には電極２５、２５がそれぞれ設けられている。上記電極２５は、図示しないコネクタに接続されている。上記蛍光灯２３は、該コネクタから電力を供給されている。
【００１７】
以上本実施の形態によると、次のような効果を奏することができる。
まず、反射板１９の縁部２１を蛍光灯ホルダ１のクリップ部１３で挟み込むだけで、上記反射板１９に上記蛍光灯ホルダ１を取り付けることができる。そのため、従来のように、上記反射板１９に取り付け用の貫通孔を設ける必要がなく、上記蛍光灯ホルダ１を上記反射板１９に簡単に取り付けることができる。
又、上記蛍光灯ホルダ１を上記反射板１９から取り外すことも容易である。
又、上記反射板１９に取り付けた後、上記蛍光灯ホルダ１を移動させることも可能である。そのため、上記蛍光灯２３から発せられた光を反射する方向を、上記反射板１９によって容易に変更することができる。
又、クリップ片１２と先端部１５の境界はホルダ部３の幅の端に位置している。つまり、ホルダ部３の幅と同じ範囲内で反射板１９をクリップすることになるのでより強固な保持を可能にするものである。
又、ホルダ部３は略リング形状をなしているので比較的径の大きな径の蛍光灯２３にも対応することができる。
【００１８】
又、蛍光灯２３は、上記蛍光灯ホルダ１のホルダ部３に弾性保持されているため、着脱が容易である。
【００１９】
尚、本願考案は前記一実施の形態に限定されるものではない。
例えば、ホルダ部の形状は円形であるリングの一部を欠いた形状に限られず、弾性変形するのであれば、多角形形状の一部を欠いたものでもよい。
又、反射板に取付ける蛍光灯ホルダの数は２個に限定されない。反射板の中央に開口部を設け、該開口部にのみ蛍光灯ホルダを取付ければ一つの蛍光灯ホルダで蛍光灯を保持することができ、更に反射板両端にも蛍光灯ホルダを取付ければ３つの蛍光灯ホルダで蛍光灯を保持することができる。
又、蛍光灯ホルダの材質もステンレスに限定されるものではない。弾性変形するのであれば、樹脂製のもの等も考えられる。
又、蛍光灯ホルダの寸法も、上記の実施の形態のものに限定されず、用途に応じて様々なものが考えられる。
【産業上の利用可能性】
【００２０】
本考案は、例えば、蛍光灯を反射板に取り付けるための蛍光灯ホルダに係り、特に、容易に反射板に取り付けることができるように工夫したものに係り、例えば、反射光の角度を自在に変化させたいものに好適である。
【符号の説明】
【００２１】
１  蛍光灯ホルダ
３  ホルダ部
５  開口部
７  先端部
１３  クリップ部
１５  クリップ先端部
１７  開放部
１９  反射板
２１  反射板縁部
２３  蛍光灯
【図１】
0003153610.tif 000003
【図２】
0003153610.tif 000004
【図３】
0003153610.tif 000005
【図４】
0003153610.tif 000006
【図５】
0003153610.tif 000007
【図６】
0003153610.tif 000008